(57)【要約】【課題】  従来の代掻き作業、土引き作業が単独で行えるとともに、土引き、代掻き、均平の作業が同時に行える代掻き装置を低コストで提供する。【解決手段】  砕土作業部１の後方に配設され機枠体２に上下方向回動自在に設けた第１整地体３と、第１整地体３の後方に回動可能に設けられる第２整地体４とを有し、第１整地体３はリヤカバー３０と土寄せ整地板３１と排土開口部３２と排土開口カバー体３３とを備え、第１整地体３の上方への回動量を上限規制装置３５により第１整地体３の上面と機枠体とを連結したリンク体の回動を規制し、第１整地体３により一定高さ以上の凸部の土引き作業を代掻き作業と同時に行い、土引き量が一定量以上になると排土開口部３２より泥土を流出させるように構成した。【選択図】      図１
2006204108.tif 000002
【特許請求の範囲】
【請求項１】
トラクターに装着される装着部を有する機枠体と、機枠体に設けられる砕土ロータリーと、砕土ロータリーの上方を覆う砕土カバー体とを有する砕土作業部を設けた代掻き装置において、砕土作業部の後方に配設され機枠体に上下方向回動自在に設けられる第１整地体と、第１整地体の後方に上下方向回動可能に設けられる第２整地体とを有し、第１整地体は、リヤカバーと、土寄せ整地板と、排土開口部と、排土開口カバー体とを備えており、リヤカバーと土寄せ整地板との間に設けられた排土開口部を開閉可能なように被覆する排土開口カバー体をリヤカバーに取り付けるとともに、第１整地体の上面部と機枠体とを連結したリンク体の回動を砕土作業部上方に設けた規制レバーを操作することにより作動するストッパが阻止することにより、第１整地体の上方への回動範囲を規制する上限規制装置を設けたことを特徴とする代掻き装置。
【発明の詳細な説明】
【技術分野】
【０００１】
本発明は、トラクターに装着し、水田において代掻き作業を行えるとともに、水田の凹部に対して凸部よりの土寄せ作業を行うことが可能な代掻き装置に関する。
【背景技術】
【０００２】
従来技術としては、本願出願人と共同出願による「代掻き装置」を特開２００４−１８７６３３号公報において提案している。すなわち、「トラクターに装着される装着マストを有する機枠体、機枠体に設けられる砕土ロータリー、砕土ロータリーの上方を覆うロータリーカバー体とを有する砕土作業部を有する代掻き装置において、砕土作業部の後方に配設され機枠体に上下方向回動自在に設けられる第１整地体と、第１整地体の後方に機枠体に回動可能に設けられる第２整地体とを有し、第１整地体は、リヤカバーと、土寄せ整地板と、排土開口部と、排土開口カバー体とを備えており、リヤカバーと土寄せ整地板との間に設けられた排土開口部を開閉可能なように被覆する排土開口カバー体をリヤカバーに取り付けたことを特徴とする代掻き装置」
【０００３】
及び、「トラクターに装着される装着マストを有する機枠体、機枠体に設けられる砕土ロータリー、砕土ロータリーの上方を覆うロータリーカバー体とを有する砕土作業部を有する代掻き装置において、砕土作業部の後方に配設され機枠体に伸縮装置により上下方向回動自在に設けられる第１整地体と、第１整地体の後方に機枠体に回動可能に設けられる第２整地体とを有し、第１整地体は、リヤカバーと、土寄せ整地板と、排土開口部と、排土開口カバー体とを備えており、リヤカバーと土寄せ整地板との間に設けられた排土開口部を開閉可能なように被覆する排土開口カバー体をリヤカバーに取り付けるとともに、伸縮装置の伸縮作用によって第１整地体の整地深度を任意に設定可能なことを特徴とする代掻き装置」
【０００４】
及び、「トラクターに装着される装着マストを有する機枠体、機枠体に設けられる砕土ロータリー、砕土ロータリーの上方を覆うロータリーカバー体とを有する砕土作業部を有する代掻き装置において、砕土作業部の後方に配設され機枠体に伸縮装置により上下方向回動可自在に設けられる第１整地体と、第１整地体の後方に機枠体に回動可能に設けられる第２整地体とを有し、第１整地体は、リヤカバーと、土寄せ整地板と、排土開口部と、排土開口カバー体とを備えており、リヤカバーと土寄せ整地板との間に設けられた排土開口部を開閉可能なように被覆する排土開口カバー体をリヤカバーに取り付けるとともに、伸縮装置の伸縮作用によって第１整地体の整地深度を任意に設定可能とし、かつ伸縮装置と第１整地体のリフト部との間にロック装置を設けて伸縮装置と第１整地体との連係を係脱自在としたことを特徴とする代掻き装置」を提案しており、公開されている。
【０００５】
前記、状来技術における構成により「土引き、代掻き、均平の３つの作業が同時に行え、作業効率が向上」及び「第１整地体の土寄せ整地板の水田面に対する高さ位置を任意に調整可能とし、この調節も伸縮装置の操作によりトラクター運転席より容易に操作ができる」等の効果を有している。
【特許文献１】特開２００４−１８７６３３号公報
【発明の開示】
【発明が解決しようとする課題】
【０００６】
前記従来技術における代掻き装置は、第１整地体の土寄せ整地板の高さ位置を調節する場合、トラクター運転席より容易に操作ができるものの伸縮装置により作動する構成となっており、伸縮装置自体も高価であるとともにこの伸縮装置を作動させる為に電気的な配線や回路構成が必要であったり、油圧装置や配管が必要なことが想定され、このような伸縮装置による構成にすると、構造も複雑になり製造コストも嵩む課題があった。
【０００７】
このため本発明の目的は、従来の代掻き作業と土引き作業が単独で行えるのに加え、土引き、代掻き、均平の作業が同時に行える代掻き装置を低コストで提供することにある。
【課題を解決するための手段】
【０００８】
上記課題を解決するために、トラクターに装着される装着部を有する機枠体と、機枠体に設けられる砕土ロータリーと、砕土ロータリーの上方を覆う砕土カバー体とを有する砕土作業部を設けた代掻き装置において、砕土作業部の後方に配設され機枠体に上下方向回動自在に設けられる第１整地体と、第１整地体の後方に上下方向回動可能に設けられる第２整地体とを有し、第１整地体は、リヤカバーと、土寄せ整地板と、排土開口部と、排土開口カバー体とを備えており、リヤカバーと土寄せ整地板との間に設けられた排土開口部を開閉可能なように被覆する排土開口カバー体をリヤカバーに取り付けるとともに、第１整地体の上面部と機枠体とを連結したリンク体の回動を砕土作業部上方に設けた規制レバーを操作することにより作動するストッパが阻止することにより、第１整地体の上方への回動範囲を規制する上限規制装置を設けたことを特徴とする代掻き装置を提供する。
【発明の効果】
【０００９】
以上のような構成にしたことにより、通常作業においては第１整地体と第２整地体は上下方向回動自在に設けられていて、整地体の自重により代掻き均平作業を行うことができるとともに、単独で土引き作業のみを行う場合はリンク体のストッパを最下位置にすることで、簡単に第１整地体は下方最下位置に回動固定され、強制的に水田面の土壌を抱き込み移動することができる。
【００１０】
又、第１整地体の上面と機枠体とを連結したリンク体の回動をストッパにより規制することで、第１整地体の上方への回動が一定の位置で規制され水田面に凸部があった場合は強制的に凸部を削って抱き込み、代掻き作業中に凹部へ土壌を落とし込み埋め戻すように作用し、代掻き均平作業と同時に土引き作業が行われる。
【００１１】
又、第１整地体に土寄せ整地板と排土開口部と排土開口カバー体を備えたことにより、土引き量が多くなった場合は、余分な土壌を排土開口部より後方へ流出させて調節がされ、流出した土壌は第２整地板により均平作業が行われるため、土引き、代掻き、均平の作業が同時に行え、作業効率が向上する。
【００１２】
第１整地体の上面と機枠体とを連結したリンク体の回動ストッパの操作は、砕土作業部上方に設けた規制レバーを操作することにより行うことができるため、トラクター運転席から容易に切換え操作ができる。さらに第１整地体の上方回動規制は、伸縮装置等の高価な装置を使用することなく構成できるため、製造コストを低く押えることができる効果がある。
【発明を実施するための最良の形態】
【００１３】
以下、本発明の実施形態の一例を図面に基づいて説明する。
図１は本発明代掻き装置の一部断面した側面図、図２は同代掻き装置の後面図、図３は同代掻き装置を後方から見た斜視図、図４は第１整地体の作用を説明した要部断面側面図を示したものである。
【００１４】
この発明の１つの実施形態を示す代掻き装置は、図示していないトラクターの後方位置に装着マスト２０と機体中心部前方の左右に設けたロアピン２３によって装着され、平面視中央の装着マスト２０から左右水平方向に配設される機枠体２と、機枠体２に支持され砕土爪１２を回転させ砕土する砕土ロータリー１０と、砕土ロータリー１０の上方を覆うロータリーカバー体１１とを有する砕土作業部１を有する。機枠体２は、左右方向の一端に伝動ケース２１、両端に機枠サイド板２２をそれぞれ備えている。
【００１５】
砕土ロータリー１０は、図示していないトラクター後方のＰＴＯ出力軸と、機体中央前方部の砕土ロータリー１０上方部に設けた入力ケース２４より前方に突設させた入力軸２５とユニバーサルジョイントで連結しトラクターよりの動力で駆動される。入力ケース２４の中にはベベルギヤが設けてあり、減速とともに回転軸の方向が進行方向と直交する方向に交換され左右方向の一端に設けた伝動ケース２１に伝達され、これにより砕土ロータリー１０は回転駆動される。
【００１６】
砕土作業部１の後方に配設され機枠体２に上下方向回動自在に設けられる第１整地体３と、第１整地体３の後方に機枠体２に回動可能に設けられる第２整地体４とを有する。第２整地体４は、第１整地体３に上下方向回動自在に設けても良い。
【００１７】
第１整地体３は、リヤカバー３０と、土寄せ整地板３１と、排土開口部３２と、排土開口カバー体３３とを備えている。土寄せ整地板３１は、断面Ｌ字形状で垂直面で土寄せ、土引き作用を行うことができ、接地底面で整地作用を行うことができる。リヤカバー３０と土寄せ整地板３１との間には、排土開口部３２を開閉可能なように被覆する排土開口カバー体３３をリヤカバー３０に取り付けている。
【００１８】
第１整地体３のリヤカバー３０と土寄せ整地板３１は、それぞれ左右両側で側枠体３４に固定され、互いにほぼ平行に間隔をあけて取り付けられ、その開口部を排土開口部３２として形成する。排土開口部３２を被覆するように排土開口カバー体３３が設けられており、排土開口カバー体３３は上方端側をリヤカバー３０の後端側に取り付けてあり、弾性力のあるゴム板で形成された排土開口カバー体３３は、土引き作業時に土引き量が多くなった場合、余剰な土をトラクターの進行により下方部を撓ませて排土開口部３２を開き排出させ得るように構成されている。
【００１９】
排土開口カバー体３３は、本例のようなゴム材の弾性体ではなく剛性のある板材で構成し、取付部を上下に移動させ下方の開口量を変化させ排出量を調節しても良い。
【００２０】
第１整地体３は砕土作業部１の後方に配設され、機体左右両側の機枠サイド板２２に第１サイドアーム３６により左右両端をそれぞれ連結ピン３６１，３６２により上下方向回動自在に前方端を連結されている。そして、第１整地体３の上面部はコの字状断面の棒状に構成された第１支持アーム３５１の一方端が支持アーム連結ピン３６３により前後方向回動自在に連結されていて、第１支持アーム３５１の上方他端部は、機枠体２側に設けたアーム回動支点ピン２６により機体前後方向に回動自在に設けられたアーム３５０の後方側と支持アーム連結ピン３６３により回動自在に連結されて、これらによりリンク体５が構成されている。
【００２１】
アーム３５０は、機体左右方向に連設して平行に３本設けられて前後方向に延出した角棒材の後方側をパイプ状の部材である連結フレーム３５８で連結し一体に構成されていて、前方端側は前記のようにそれぞれ機枠体２側に設けたアーム回動支点ピン２６により回動自在に取り付けられていて、左右角棒材端の後方端側は、前記のように第１支持アーム３５１がそれぞれ回動自在に連結されている。
【００２２】
また、リンク体５の上方への回動を規制する上限規制装置３５が中央部の角棒材で構成されたアーム部と併設されていて、このアーム部の上方面を上限規制装置３５が押え込み回動を規制するように構成されている。
【００２３】
上限規制装置３５は、第１整地体３の上方への回動量を操作する前後方向に回動自在に設けたレバー３５５と、このレバー３５５の回動位置を保持するレバーガイド３５６と、第１整地体３の上面部と機枠体２とを連結したリンク体５の回動を阻止するストッパピン３５３を有したストッパプレート３５２と、レバー３５５とストッパプレート３５２を連動させたロッド３５４とで構成されている。
【００２４】
上限規制装置３５は機枠体２側に設けられていて、機枠体２中央部の入力ケース２４後方部に設けたストッパ回動支点ピン２７に一端を前後方向回動自在に取り付けたストッパプレート３５２の上方他端部に、前記アーム３５０の中央部アーム部材側にストッパピン３５３を左右方向に延出させ、このストッパピン３５３の位置をアーム３５０の回動範囲の任意の位置に保持することで、アーム３５０の上面が当接し回動の上限が規制される。
【００２５】
ストッパピン３５３の保持は、これが固着されているストッパプレート３５２の上方部を砕土ロータリー１０上方部の装着マスト２０の側方に前後方向回動自在に設けたレバー３５５とロッド３５４で回動自在に連結し、レバー３５３位置をレバーガイド３５６で保持させることでストッパプレート３５２を保持し、ストッパピン３５３は保持される。
【００２６】
レバーガイド３５６は、レバー３５５の前後方向回動支点側の基部側に設けられていて、側面視円弧状のプレートにレバー３５３をガイドする平面視前後方向長穴状の案内溝とこれと連結して直交した長穴状の固定溝を前後方向に複数個設け、レバー３５５を任意の固定溝に嵌入させてレバー３５３の回動を保持するものである。
【００２７】
レバー３５３は、基部側と握り部側である先端側とに分割されていて、連結部は左右方向に回動自在に連結されているとともに、レバーガイド３５６の固定溝にレバーの先端側を押し付ける方向にコイルバネ３５７で押圧されている。これにより、レバーが固定溝から外れないように構成されている。
【００２８】
本例では、レバー３５５を前方側に保持するほど第１整地体３の上方への回動範囲が大きくなり、後方側へ保持させるほど回動範囲が少なくなり、土引き量が多くなるように構成されている。
【００２９】
第２整地体４の第２整地板４０は、第１整地体３の後方に機枠体２の左右両側の第２サイドアーム４１と、中央部の左右にある第２支持アーム４２を介して回動可能に設けられる。第２整地板４０は機枠体２に対して自重により回動自在に作用しており、自重により水田面に接地して均平作用を行う。そして第１整地体３の排土開口部３２から後方へ排出された泥土も第２整地体４により直ぐに整地される。
【００３０】
第１整地体３の下方部には、左右方向に丸棒材を平行に複数本連設した第１レーキ３７と第２レーキ３８を有していて、リヤカバー３０下方部に第１レーキ３７が土寄せ整地板３１の下方部に第２レーキ３８が配設されていて、稲株等の夾雑物を泥土の中に埋め込み代掻き均平作用効果をより高めるためのものである。
【図面の簡単な説明】
【００３１】
【図１】本発明代掻き装置の一部断面した側面図
【図２】同代掻き装置の後面図
【図３】同代掻き装置を後方から見た斜視図
【図４】第１整地体の作用を説明した要部断面側面図
【符号の説明】
【００３２】
１      砕土作業部
１０    砕土ロータリー
１１    砕土カバー体
１２    砕土爪
２      機枠体
２０    装着マスト
２１    伝動ケース
２２    機枠サイド板
２３    ロアピン
２４    入力ケース
２５    入力軸
２６    アーム回動支点ピン
２７    ストッパ回動支点ピン
２８    整地体回動支点ピン
３      第１整地体
３０    リヤカバー
３１    土寄せ整地板
３２    排土開口部
３３    排土開口カバー体
３４    側枠体
３５    上限規制装置
３５０  アーム
３５１  第１支持アーム
３５２  ストッパプレート
３５３  ストッパピン
３５４  ロッド
３５５  レバー
３５６  レバーガイド
３５７  コイルバネ
３５８  連結フレーム
３６    第１サイドアーム
３６１  連結ピン
３６２  連結ピン
３６３  支持アーム連結ピン
３７    第１レーキ
３８    第２レーキ
４      第２整地体
４０    第２整地板
４１    第２サイドアーム
４２    第２支持アーム
５      リンク体
【図１】
2006204108.tif 000003
【図２】
2006204108.tif 000004
【図３】
2006204108.tif 000005
【図４】
2006204108.tif 000006